(57)【要約】【課題】複数のサービスに対応可能なデュアルシステム携帯電話機におけるセルサーチの高速化を図ることによってサーチを行っている間ユーザを待たせず、且つ消費電力を抑制できる携帯電話機を実現する。【解決手段】起動した当初の通信に係る通信サービスによって取得した情報に基づいて他の通信サービスに係るセルサーチの範囲を当初の通信に係るサーチの範囲よりも縮小されたものとすることによってセルサーチを高速化し省電力化する。【選択図】　　　図１
2004023391.tif 000002
【特許請求の範囲】
【請求項１】
複数の各移動電話システムによる通信に夫々適合する形態での通信の制御を行なう複数の各通信制御機能部と、前記複数の各移動電話システムを運営する夫々のオペレータ毎に割り当てられた周波数を表すデータを保持した第１の記憶部と、前記各オペレータを表すデータ保持した第２の記憶部とを備え、前記複数の各通信制御機能部は、それらのうちの一の通信機能部を適用して前記複数の各移動電話システムのうち前記一の通信機能部が適合する一の移動電話システムによる通信を当初に行なうことによって取得した当該通信に係る所定の仕様に関するデータと前記第１の記憶部に保持されたデータ及び／又は前記第２の記憶部に保持されたデータとに依拠して、前記当初の通信を行なった後に前記他の通信機能部による通信を行なうためのセルサーチの範囲を前記当初の通信に係る所定の仕様に関するデータを得ていないときにおけるセルサーチの範囲よりも相対的に限定されたものとすることが可能なように構成されたことを特徴とする携帯電話機。
【請求項２】
前記複数の各通信制御機能部のうちの一のものはＧＳＭ方式の移動電話システムによる通信に適合するものであり、他の一のものは第３世代携帯電話方式の移動電話システムによる通信に適合するものであることを特徴とする請求項１に記載の携帯電話機。
【請求項３】
前記第１の記憶部は携帯電話機本体に内蔵されたメモリ装置によって構成されたものであることを特徴とする請求項１に記載の携帯電話機。
【請求項４】
前記第２の記憶部は携帯電話機本体に着脱自在になされたメモリ装置によって構成されたものであることを特徴とする請求項１に記載の携帯電話機。
【請求項５】
前記第２の記憶部は携帯電話機本体に内蔵されたメモリ装置によって構成されたものであることを特徴とする請求項１に記載の携帯電話機。
【請求項６】
前記第１の記憶部は携帯電話機本体に着脱自在になされたメモリ装置によって構成されたものであることを特徴とする請求項１に記載の携帯電話機。
【請求項７】
前記第２の記憶部は携帯電話機本体に着脱自在になされたメモリ装置によって構成されたものであり、且つ、前記複数の各通信制御機能部は前記第２の記憶部が携帯電話機本体に装着されていないときには前記セルサーチの範囲を相対的に限定されたものとはしないことを特徴とする請求項１に記載の携帯電話機。
【請求項８】
前記複数の各通信制御機能部は前記通信に係る所定の仕様に関するデータとしてＭＣＣ（Ｍｏｂｉｌｅ　Ｃｏｕｎｔｒｙ　Ｃｏｄｅ）を取得可能なように構成されたものであることを特徴とする請求項１に記載の携帯電話機。
【請求項９】
前記第１の記憶部に保持されたデータ及び／又は前記第２の記憶部に保持されたデータを前記移動電話システムに備えられたサーバが保有するデータによって更新するための手段を備えたことを特徴とする請求項１に記載の携帯電話機。
【請求項１０】
前記複数の各移動電話システムのうち当該一の通信機能部が適合する一の移動電話システムによる通信を当初に行なうことによって取得した該通信に係る所定の仕様に関するデータと前記第１の記憶部に保持されたデータ及び／又は前記第２の記憶部に保持されたデータとに依拠して、自機の現在位置が特定の他の通信機能部による通信のためのサービスは前記オペレータから提供されない領域内にあることが認識されたときには、前記特定の他の通信機能部による通信を行なうためのセルサーチを実行しないように構成されたことを特徴とする請求項１に記載の携帯電話機。
【請求項１１】
複数の各移動電話システムによる通信に夫々適合する形態での通信の制御を行なう通信制御機能部により前記各移動電話システムのうちの一の移動電話システムによる通信を行なうことによって当該通信に係る所定の仕様に関するデータを取得する第１のステップと、該取得されたデータを利用して、前記第１のステップでの通信を行なった後に前記他の移動電話システムによる通信を行なうためのセルサーチについてはその範囲を前記第１のステップでの通信に係るセルサーチの範囲よりも相対的に限定されたものとして実行する第２のステップとを含んでなることを特徴とする携帯電話機における通信方法。
【請求項１２】
前記第１のステップでの通信はＧＳＭ方式の移動電話システムにより行ない、前記第２のステップでの通信は第３世代携帯電話方式の移動電話システムにより行なうものであることを特徴とする請求項１１に記載の携帯電話機における通信方法。
【請求項１３】
前記第１のステップでの通信は第３世代携帯電話方式の移動電話システムにより行ない、前記第２のステップでの通信はＧＳＭ方式の移動電話システムにより行なうものであることを特徴とする請求項１１に記載の携帯電話機における通信方法。
【請求項１４】
前記第２のステップでのセルサーチは、前記第１のステップの通信での一の移動電話システムによる通信を行なうことによって得た該通信に係る所定の仕様に関するデータと共に、前記複数の各移動電話システムを運営する夫々のオペレータ毎に割り当てられた周波数を表すデータ及び／又は前記各オペレータを表すデータとに依拠して前記相対的に限定されたセルサーチを行なうことを特徴とする請求項１１に記載の携帯電話機における通信方法。
【請求項１５】
前記複数の各移動電話システムを運営する夫々のオペレータ毎に割り当てられた周波数を表すデータを予め携帯電話機本体に内蔵されたメモリ装置に準備しておくことを特徴とする請求項１４に記載の携帯電話機における通信方法。
【請求項１６】
前記各オペレータを表すデータを予め携帯電話機本体に着脱自在になされたメモリ装置に準備しておくことを特徴とする請求項１４に記載の携帯電話機における通信方法。
【請求項１７】
前記各オペレータを表すデータを予め携帯電話機本体に着脱自在になされたメモリ装置に準備しておく一方、該メモリ装置が携帯電話機本体に装着されていないときには、前記セルサーチの範囲を相対的に限定されたものとはしないことを特徴とする請求項１４に記載の携帯電話機における通信方法。
【請求項１８】
前記第１のステップで取得する当該通信に係る所定の仕様に関するデータとしてＭＣＣ（Ｍｏｂｉｌｅ　Ｃｏｕｎｔｒｙ　Ｃｏｄｅ）を取得することを特徴とする請求項１１に記載の携帯電話機における通信方法。
【請求項１９】
前記複数の各移動電話システムを運営する夫々のオペレータ毎に割り当てられた周波数を表すデータ及び／又は前記各オペレータを表すデータを前記移動電話システムに備えられたサーバが保有するデータによって更新することを特徴とする請求項１４に記載の携帯電話機における通信方法。
【請求項２０】
前記第１のステップの通信での一の移動電話システムによる通信を行なうことによって得た該通信に係る所定の仕様に関するデータと前記複数の各移動電話システムを運営する夫々のオペレータ毎に割り当てられた周波数を表すデータ及び／又は前記各オペレータを表すデータとに依拠して、自機の現在位置が特定の他の通信機能部による通信のためのサービスは前記オペレータから提供されない領域内にあることが認識されたときには、前記第２のステップでのセルサーチは行なわないことを特徴とする請求項１１に記載の携帯電話機における通信方法。
【発明の詳細な説明】
【０００１】
【発明の属する技術分野】
本発明は、複数の移動電話システム（例えばＧＳＭ方式と第３世代（３Ｇ）携帯電話方式との２つのシステム）に対応する携帯電話機に関するものであり、特にセルサーチの高速化と省電力化が図られた携帯電話機及びこの携帯電話機における通信方法に関する。
【０００２】
【従来の技術】
携帯電話システムでは、システムに割り当てられた有限の周波数資源の中で極力多くの加入者を収容するために、電波の到達距離を制限するように送信電力を限定的なものに抑制し、相対的に離隔した地点同士では同じ周波数を重複して利用する周波数再利用という技術を用いている。従って、携帯電話機は無線電話でありながら、実際には無線で回線が結ばれているのは、わずか数十メートルから高々数キロメートルの距離であり、そこから相手先までは、殆ど有線回線を通じて通信が行なわれる。携帯電話で通信が可能な地域（サービスエリア）には数百メートルから数キロメートル間隔で無線基地局が配置されている。利用者が持つ携帯電話機はこの無線基地局との間で通信をおこなうが、このとき最も通信品質のよい無線基地局を選択する。１つの無線基地局では通信を行えるエリアが限定されるため、複数の無線基地局が通信をカバーできるセルと呼ばれる領域を構成して、互いに補い合うことによりあらゆる場所から移動体通信を行うことを可能にしている。
【０００３】
移動体端末（携帯電話機）が通信を行う場合、自己が所属するセル内での通信を担う無線基地局を利用して通信を行うが、通信中に当初に所属していたセルの範囲を超えて他のセルに移動した場合、移動先のセルに存在する無線基地局を利用して通信を行う必要が生じる。その際、端末が１つの無線基地局のみしか利用できないとすると、利用する無線基地局を切り換える瞬間に通信が瞬間的に途切れてしまうという問題が発生する。そのような問題を回避する為に、現代の移動体通信システムにおいては、移動体端末が複数のセルの境界付近に存在する場合は、複数の無線基地局と同時に通信することを可能とすることより、移動体端末がセル間を移動する場合にも通信が途切れないようにする手法が用いられている。
【０００４】
そのような手法を可能にするためには、端末の近くに存在する複数の無線基地局がユーザデータを受信し、各無線基地局から端末へのデータが同時に端末に到着するようにタイミング制御を行わなければならない。その役割は一般に基地局制御装置が担っており、基地局制御装置は端末へのユーザデータを受信するとそのデータを複製し、複数の無線基地局にユーザデータが同時に到着するように各無線基地局への送信タイミングを制御する。
【０００５】
一方、従来の移動体通信システムでは、発信端末または着信先端末のうちの少なくとも一方がそれらの加入する網のエリアの外に位置していた場合などには、それら端末が両方とも或る一つのエリア内にあったとしても、それらを接続するようなサービスが提供されていない場合には通信を行なうことはできなかった。このため、ユーザは、通信エリアや通信コストなど様々な条件を考慮して最適なサービスを受けようとすると、複数のサービスに加入し、或いは、それらに応じた複数の携帯電話機を所有する必用があり、不便であった。
【０００６】
このような問題を解決するために、１台で複数の通信事業者のサービスを受けることができるようにした移動体端末装置または移動体通信システム携帯電話機も提案されている（特開平１０−２６２２８４号公報）。このシステムでは、例えば、第１の端末および第２の端末が夫々網Ａおよび網Ｂに加入しており、第１の端末は網Ａおよび網Ｂのエリア内に位置し、第２の端末は網Ｂのエリア内だが網Ａのエリア外に位置する場合、第１の端末が第２の端末への接続要求を網Ａに対して送出すると、網Ａの交換機は、第２の端末が網Ａのエリア内に位置していないことを認識して第１の端末１１に通知する。すると第１の端末は第２の端末への接続要求を網Ｂに対して送出する。網Ｂの交換機は、第１の端末と第２の端末とを接続するというものである。
【０００７】
また、一つの移動無線機を複数の無線システム内で使用可能とするため複数の無線システムを統合する新システムの提案もなされている（特開平８−２２８３７１号公報）。他のシステムのサービスエリアにおいても携帯電話機の使用を可能とするため、一つのシステムＡの携帯電話機にシステムＢの携帯電話機の機能をも具備させると共に、システムＡとＢとの無線制御局の双方の機能をシステム統合機能として統合無線制御局に備えるというものである。
【０００８】
また一方、携帯電話機が登録されている事業者以外のサービス範囲においても、有効なチャネルへの接続を行なうシステムが既に稼動している。利用契約をしていない他の通信事業者のサービスエリアで通信することはローミングと称され、ヨーロッパではＧＳＭ（Ｇｌｏｂａｌ　Ｓｙｓｔｅｍ　ｆｏｒ　Ｍｏｂｉｌｅ　ｃｏｍｍｕｎｉｃａｔｉｏｎ）方式による国際ローミングを行っている。他の有効なチャネルへの接続の高速化を図った技術も提案されている（特開２００１−１０３５３０号公報）。無線信号を送受信する通信部と、複数の基地局の識別情報およびローミング情報に係るテーブルを記憶する記憶部と、制御部とを備え、制御部で受信電界強度が強い順に複数の基地局からの各無線信号を一時的に捕捉し、該無線信号から基地局識別情報のみを取得し、該基地局識別情報と前記テーブルを比較、照合し、前記ローミング情報に従って、最も優先度が高い基地局を選択するというものである。
【０００９】
上述のような国際での異なるサービスに適合するシステムを構築するためには他にも種々の技術課題がある。例えば、国や地域さらには通信事業者によって、異なる周波数が割り当てられていることや、通信プロトコルの相違、また地域によって使用する言語が違うことから、各国間で汎用的に使用できる携帯電話装置を製造することは難しく、また携帯電話装置を有効に使用することができないという問題である。このような問題点に鑑みて、各種地域で汎用的に使用できる電話装置を提供するために、電話装置において、送受信処理に用いる各種周波数信号を発振出力させるとともに、発振出力周波数が可変とされた発振手段と、地域もしくは通信事業者の識別情報に対応して送受信処理に用いる周波数情報を記憶する記憶手段と、使用地域もしくは通信事業者の識別情報に応じて、記憶手段の周波数情報に基づいて必要な周波数信号が出力されるように発振手段を制御するとともに、使用地域もしくは通信事業者の識別情報に応じて、送受信処理のために必要となる処理の設定変更を行うことのできる制御手段とを備えるようにすることが提案されている。即ち使用する地域や通信事業者毎に周波数設定が異なる場合でも、設定を切り換えて各地域で使用可能にし、また所要に応じ通信プロトコル等も選択可能にするものである（特開平１１−３２１１１号公報）。
【００１０】
また、ユーザが利用する国や地域を意識することなしに、その国や地域に応じた種々の設定を行い利便性を向上させた移動無線端末装置の提案もなされている（特開２００１−５７６８８公報）。携帯電話機で複数の無線通信システムで用いられる周波数帯域を順次受信して利用可能な無線通信システムを検出し、この検出した無線通信システムに対応する識別データを用いて通信を行うようにすることにより、利用する国や地域の通信システムで使用可能な識別データが自動的に設定されるので、ユーザが利用する国や地域を意識して識別データの設定を行うことなしに通信を行うことができるというものである。
【００１１】
【発明が解決しようとする課題】
携帯電話の機能として、位置登録を行うために基地局を探す「セルサーチ」と称される機能がある。一般に、セルサーチは携帯電話機の電源をオンにした当初乃至は圏外状態で発動されるように構成される。このセルサーチは、周波数分割多重（ＦＤＤ）方式の場合、移動電話システムに割り当てられた周波数帯域内である周波数ステップごとに電波を順次受信し、各周波数毎に、基地局が発信している電波を受信できるか否かを検出して基地局を探すようにして行われる。
【００１２】
ところで、第３世代（３Ｇ）携帯電話方式のように複数の国での使用が考慮された移動電話システムには、基本的には各国共通の周波数帯が割り当てられている。しかしながら、通信サービスを提供する事業者（オペレータ）への周波数帯の割り当ては各国毎に異なっている。この場合でも、セルサーチを行う際に、携帯電話機が使用されている国が既知であれば、当該国で携帯電話機にサービスを提供しているオペレータを特定し、更に、その国で該当するオペレータに割り当てられている周波数帯が既知であれば、その周波数帯に限定してセルサーチを実行すれば良いことになる。
【００１３】
しかしながら、通常の携帯電話機の場合、セルサーチを行う前には、基地局から送信されている報知情報が受信できていないため、自機の位置（ＭＣＣ）を特定することができない。従来は、セルサーチにおいてはその携帯電話機が対応する移動電話システムの全周波数をサーチするしかなかった。このため、セルサーチには時間かかり、消費電力の増大やサーチを行っている間ユーザを待たせるといった問題があった。
【００１４】
セルサーチの時間を短縮する既存の方法としては、シングルシステム内で閉じた方法がある。例えば、或る携帯電話システムで前回位置登録に成功した周波数リストを自機の記憶部に記憶しておき、そのリストにある周波数だけを同システムでのセルサーチの対象にする方法などである。
【００１５】
しかしながら、初めて訪れる場所などでは前記周波数リストには所要のデータの蓄積がなく、セルサーチの対象範囲を限定できないので、全周波数サーチを行う必要があるという問題を解決できるわけではない。
【００１６】
携帯電話機の位置を把握する方法としては、ＧＰＳなどを利用する方法が考えられるが、ＧＰＳ受信機などの特別な装備の実装が必要となってしまう。また、上述の各公報所載の提案でも、このようなセルサーチの高速化を図ることによってサーチを行っている間ユーザを待たせず、且つ消費電力を抑制しようといった点での技術課題の認識はなく、従って、このような観点からの課題に焦点を当てた技術の提案は皆無である。
【００１７】
そこで、本発明の目的は、セルサーチを高速化すると共に、省電力が図られるようにした携帯電話機およびこの携帯電話機における通信方法を提供することにある。
【００１８】
【課題を解決するための手段】
上述の課題を解決するため、本発明は、次のような特徴を備えている。
【００１９】
（１）複数の各移動電話システムによる通信に夫々適合する形態での通信の制御を行なう複数の各通信制御機能部と、前記複数の各移動電話システムを運営する夫々のオペレータ毎に割り当てられた周波数を表すデータを保持した第１の記憶部と、前記各オペレータを表すデータ保持した第２の記憶部とを備え、前記複数の各通信制御機能部は、それらのうちの一の通信機能部を適用して前記複数の各移動電話システムのうち前記一の通信機能部が適合する一の移動電話システムによる通信を当初に行なうことによって取得した当該通信に係る所定の仕様に関するデータと上記第１の記憶部に保持されたデータ及び／又は上記第２の記憶部に保持されたデータとに依拠して、上記当初の通信を行なった後に当該他の通信機能部による通信を行なうためのセルサーチの範囲を上記当初の通信に係る所定の仕様に関するデータを得ていないときにおけるセルサーチの範囲よりも相対的に限定されたものとすることが可能なように構成された携帯電話機。
【００２０】
（２）前記複数の各通信制御機能部のうちの一のものはＧＳＭ方式の移動電話システムによる通信に適合するものであり、他の一のものは第３世代携帯電話方式の移動電話システムによる通信に適合するものである上記（１）の携帯電話機。
【００２１】
（３）前記第１の記憶部は携帯電話機本体に内蔵されたメモリ装置によって構成されたものである上記（１）の携帯電話機。
【００２２】
（４）前記第２の記憶部は携帯電話機本体に着脱自在になされたメモリ装置によって構成されたものである上記（１）の携帯電話機。
【００２３】
（５）前記第２の記憶部は携帯電話機本体に内蔵されたメモリ装置によって構成されたものである上記（１）の携帯電話機。
【００２４】
（６）前記第１の記憶部は携帯電話機本体に着脱自在になされたメモリ装置によって構成されたものである上記（１）の携帯電話機。
【００２５】
（７）前記第２の記憶部は携帯電話機本体に着脱自在になされたメモリ装置によって構成されたものであり、且つ、前記複数の各通信制御機能部は前記第２の記憶部が携帯電話機本体に装着されていないときには前記セルサーチの範囲を相対的に限定されたものとはしない上記（１）の携帯電話機。
【００２６】
（８）前記複数の各通信制御機能部は前記通信に係る所定の仕様に関するデータとしてＭＣＣ（Ｍｏｂｉｌｅ　Ｃｏｕｎｔｒｙ　Ｃｏｄｅ）を取得可能なように構成されたものである上記（１）の携帯電話機。
【００２７】
（９）前記第１の記憶部に保持されたデータ及び／又は前記第２の記憶部に保持されたデータを前記移動電話システムに備えられたサーバが保有するデータによって更新するための手段を備えた上記（１）の携帯電話機。
【００２８】
（１０）前記複数の各移動電話システムのうち当該一の通信機能部が適合する一の移動電話システムによる通信を当初に行なうことによって取得した該通信に係る所定の仕様に関するデータと前記第１の記憶部に保持されたデータ及び／又は前記第２の記憶部に保持されたデータとに依拠して、自機の現在位置が特定の他の通信機能部による通信のためのサービスは前記オペレータから提供されない領域内にあることが認識されたときには、前記特定の他の通信機能部による通信を行なうためのセルサーチを実行しないように構成された上記（１）の携帯電話機。
【００２９】
（１１）複数の各移動電話システムによる通信に夫々適合する形態での通信の制御を行なう通信制御機能部により前記各移動電話システムのうちの一の移動電話システムによる通信を行なうことによって当該通信に係る所定の仕様に関するデータを取得する第１のステップと、該取得されたデータを利用して、前記第１のステップでの通信を行なった後に前記他の移動電話システムによる通信を行なうためのセルサーチについてはその範囲を前記第１のステップでの通信に係るセルサーチの範囲よりも相対的に限定されたものとして実行する第２のステップとを含んでなる携帯電話機における通信方法。
【００３０】
（１２）前記第１のステップでの通信はＧＳＭ方式の移動電話システムにより行ない、前記第２のステップでの通信は第３世代携帯電話方式の移動電話システムにより行なうものである上記（１１）の携帯電話機における通信方法。
【００３１】
（１３）前記第１のステップでの通信は第３世代携帯電話方式の移動電話システムにより行ない、前記第２のステップでの通信はＧＳＭ方式の移動電話システムにより行なうものである上記（１１）の携帯電話機における通信方法。
【００３２】
（１４）前記第２のステップでのセルサーチは、前記第１のステップの通信での一の移動電話システムによる通信を行なうことによって得た該通信に係る所定の仕様に関するデータと共に、前記複数の各移動電話システムを運営する夫々のオペレータ毎に割り当てられた周波数を表すデータ及び／又は前記各オペレータを表すデータとに依拠して前記相対的に限定されたセルサーチを行なう上記（１１）の携帯電話機における通信方法。
【００３３】
（１５）前記複数の各移動電話システムを運営する夫々のオペレータ毎に割り当てられた周波数を表すデータを予め携帯電話機本体に内蔵されたメモリ装置に準備しておく上記（１４）の携帯電話機における通信方法。
【００３４】
（１６）前記各オペレータを表すデータを予め携帯電話機本体に着脱自在になされたメモリ装置に準備しておく上記（１４）の携帯電話機における通信方法。
【００３５】
（１７）前記各オペレータを表すデータを予め携帯電話機本体に着脱自在になされたメモリ装置に準備しておく一方、該メモリ装置が携帯電話機本体に装着されていないときには、前記セルサーチの範囲を相対的に限定されたものとはしない上記（１４）の携帯電話機における通信方法。
【００３６】
（１８）前記第１のステップで取得する当該通信に係る所定の仕様に関するデータとしてＭＣＣ（Ｍｏｂｉｌｅ　Ｃｏｕｎｔｒｙ　Ｃｏｄｅ）を取得する上記（１１）の携帯電話機における通信方法。
【００３７】
（１９）前記複数の各移動電話システムを運営する夫々のオペレータ毎に割り当てられた周波数を表すデータ及び／又は前記各オペレータを表すデータを前記移動電話システムに備えられたサーバが保有するデータによって更新する上記（１４）の携帯電話機における通信方法。
【００３８】
（２０）前記第１のステップの通信での一の移動電話システムによる通信を行なうことによって得た該通信に係る所定の仕様に関するデータと前記複数の各移動電話システムを運営する夫々のオペレータ毎に割り当てられた周波数を表すデータ及び／又は前記各オペレータを表すデータとに依拠して、自機の現在位置が特定の他の通信機能部による通信のためのサービスは前記オペレータから提供されない領域内にあることが認識されたときには、前記第２のステップでのセルサーチは行なわない上記（１１）の携帯電話機における通信方法。
【００３９】
【発明の実施の形態】
以下、本発明の好適実施形態について詳細に説明する。
【００４０】
図２は本発明の携帯電話機の全体的概念を表すブロック図である。図２において、１００はアンテナを含む無線部であり、システムＡ（例えばＧＳＭ方式の移動電話システム）とシステムＢ（例えば第３世代携帯電話方式の移動電話システム）の双方に対応可能に構成されている。２００はシステムＡに係る制御部であり、例えばＧＳＭ方式の移動電話システムによる通信に適合する形態での通信の制御を行なう。また、２１０はシステムＢの制御部であり、例えば第３世代携帯電話方式の移動電話システムによる通信に適合する形態での通信の制御を行なう。
３００は自機の本体に内蔵された記憶部である。また、４００はＳＩＭ（加入者識別モジュール）に代表される外部記憶部であり、携帯電話機本体に着脱自在になされたメモリ装置によって構成されたものである。
【００４１】
図３は記憶部３００に記憶されている、ＭＣＣとその国で通信サービスを提供しているオペレータ名（ＩＤ）とオペレータに割り当てられている周波数帯との関係を表すテーブル（以下では「周波数割り当てリスト」と称する）の内容を示す概念図である。尚、ＭＣＣ（Ｍｏｂｉｌｅ　Ｃｏｕｎｔｒｙ　Ｃｏｄｅ）は、携帯電話機などの移動体通信端末に対してその端末の現在位置で通信サービスを提供する基地局が属する国を表すコードであって、それ自体は公知である（例えば、米国特許公開公報ＵＳ２００２／００２５８２４等）。
【００４２】
図４は外部記憶部４００に記憶されている、携帯電話機へ通信サービスの提供が許されているオペレータを表すテーブル（以下では「サービスオペレータリスト」と称する）の内容を示す概念図である。
【００４３】
図１は本発明の携帯電話機の通信制御動作のフローを説明するための図である。説明の便宜上、記述の例によるシステムＡとシステムＢの２種類の移動電話システムに対応している携帯電話機を想定するが、本発明はこのように２種類のシステムに対応するものに限定されず、さらに多数の移動電話システムによる通信に適合する構成をとり得る。
【００４４】
尚、次に述べる例は、有効な外部記憶部４００が本体に挿入されている場合の動作の説明であるが、外部記憶部４００が本体に挿入されていない場合は本実施形態の装置では本発明のセルサーチ動作は行わないように構成されている。（通常のセルサーチ動作は行う）。
【００４５】
先ず、本実施形態の装置の電源を入れた当初、乃至は、移動電話システムＡ、Ｂ両方が圏外の場合、制御部２００、２１０によって従来通りのセルサーチ動作を行う（Ｓ１）。
【００４６】
制御部２００（一の通信機能部）がシステムＡの基地局を発見し、システムＡ（ＧＳＭ方式の移動電話システム）の基地局から発信されている報知情報から、国番号（ＭＣＣ）を取得する（Ｓ２）。
【００４７】
制御部２００は得られた国番号（ＭＣＣ）を制御部２１０（他の通信機能部）に通知する（Ｓ３）。
【００４８】
制御部２１０（一の通信機能部）は制御部２００（他の通信機能部）から得られた国番号と外部記憶部４００（第２の記憶部）に記憶されているサービスオペレータリスト（図４）のデータとに基づいて、本体内の記憶部３００（第１の記憶部）に格納された周波数割り当てリスト（図３）からＭＣＣとオペレータ名の組み合わせが一致する項目を検索する（Ｓ４）。
【００４９】
検索の結果、国情報とオペレータの組み合わせが一致する周波数が周波数割り当てリスト（図３）に記憶されていた場合は、その周波数をシステムＢに関するセルサーチの対象として決定する（Ｓ５）。この場合、該当する周波数が複数あった場合には該当する全てをセルサーチの対象とする。
【００５０】
周波数割り当てリスト（図３）の検索の結果、ＭＣＣとオペレータの組み合わせが一致する項目がなかった場合には、サーチ対象の周波数を限定することができないので、従来通り通信システムに割り当てられている全周波数をサーチ対象とする。
【００５１】
制御部２１０は、手順（Ｓ５）で求めたシステムＢのサーチ対象周波数に対してセルサーチを実施する（Ｓ６）。
【００５２】
このセルサーチの範囲は当初のセルサーチ（Ｓ１）での範囲よりも相対的に限定されたものである。以降は、手順（Ｓ６）のセルサーチを繰り返す。
【００５３】
手順（Ｓ４）、（Ｓ５）の処理について更に詳細に説明する。ここでは、周波数割り当てリストの内容が図３、サービスオペレータリストの内容が図４、システムＡが取得したＭＣＣが「Ｘ国」として説明する。
［Ｉ］サービスオペレータリスト（図４）のデータに基づいて、携帯電話機にサービスを提供するオペレータは、「オペレータＡ」「オペレータＢ」「オペレータＦ」「オペレータＧ」であることがわかる。
［ＩＩ］システムＡのＭＣＣは、「Ｘ国」であることがわかる。
［ＩＩＩ］上記［Ｉ］および［ＩＩ］の情報と一致する項目を周波数割り当てリスト（図３）から検索すると、「Ｘ国　オペレータＡ」と「Ｘ国　オペレータＢ」（図３の※）の項目が該当する。
よって、システムＢのサーチする周波数は、「Ｆ＿Ｓ〜Ｆ＿Ｘ１」と「Ｆ＿Ｘ１〜Ｆ＿Ｘ２」（図３の※）であると決定できる。（通信システムに割り当てられている全周波数の状況を表す図５参照）
【００５４】
手順（Ｓ６）の状態でシステムＡが圏外状態になった場合：
制御部２００は制御部２１０に対し、圏外になったことを通知する。
【００５５】
制御部２１０はタイマーをスタートさせる。これはシステムＡが一瞬圏外になった場合に、すぐに手順（Ｓ１）に戻るのを防ぐためである。
【００５６】
タイマーの計時動作が満了する前に、システムＡが再びＭＣＣを入手した場合には、そのＭＣＣが直前まで使用していた値かどうかを判断する。
【００５７】
直前まで使用していたＭＣＣと一致する場合には、手順（Ｓ６）に戻る。
直前と異なるＭＣＣの場合には、手順（Ｓ３）から再開する。
【００５８】
タイマーの計時動作が満了した場合、制御部２１０はサーチ対象の周波数を、システムＢに割り当てられている全周波数に変更し、システムＡ、Ｂ両方圏外時の動作（手順Ｓ１）に戻る。
【００５９】
上記手順（Ｓ６）の状態でシステムＡのＭＣＣが別の国（Ｙ国）になった場合、即ち、国境を越えて移動した場合など：
【００６０】
制御部２００は制御部２１０に対し、Ｙ国のＭＣＣを通知する。
【００６１】
次いで、手順（Ｓ４）から再開する。
以上の処理により、全周波数をサーチ対象とする従来の方法に比べ、サーチ対象となる周波数を限定することが可能となるため、サーチ処理の高速化、省電力化が可能となる。
【００６２】
上述した実施形態によれば、通信システムに割り当てられている全周波数を常時セルサーチの対象とする従来の方法に比べ、システムＡが基地局から発信される報知情報からＭＣＣを取得した場合には、その情報を利用して、システムＢのサーチ対象周波数（範囲）を削減できるため、システムＢのセルサーチにかかる時間が短縮でき、消費電力の削減やサーチを行っている間ユーザを待たせなければならない時間の短縮が可能となる。
【００６３】
例えば、第３世代（３Ｇ）携帯電話方式の場合、システムに割り当てられている全周波数は約３００チャンネルにもなり、１チャンネルサーチを行うのにかかる時間を１００ｍｓとすると、３０秒程度かかることになる。本発明を用いて、サーチ対象となる周波数を例えば７０チャンネルに削減したとすると、サーチにかかる時間は７秒と約１／４程度にできる。
【００６４】
また通常、セルサーチによって基地局が検出された場合は、その基地局が発信している報知情報の取得を行う必要があるが、このとき報知情報を取得して内容を解析するまでは携帯電話機に通信サービスを提供しているオペレータの報知情報かどうか判断できないため、サービスを提供していないオペレータの報知情報も取得するという無駄な処理が発生していた。
【００６５】
本発明では、セルサーチに先行してサーチ対象の周波数範囲を、その国で携帯電話機に通信サービスを提供しているオペレータの周波数に限定するので、上記のような通信サービスを提供していないオペレータの報知情報まで取得することによる無駄がなくなり、一層顕著な消費電力削減につながる。即ち、この実施形態では、サービスを提供していないオペレータの周波数はセルサーチの対象とせず、このため、自機での通信に寄与することがないオペレータの基地局を無駄にサーチして検出することがない。尚、上記のような通信制御は、ＧＰＳなど特別な装置を用いずに、実現可能である。
【００６６】
以下に本発明の他の実施形態について説明する。図に基づいての説明ではＡ、Ｂの２種類のシステムをサポートする携帯電話機について述べたが、既述のように、サポートするシステムはそれ以上（ｎ種）あっても構わない。例えば、システムＡ、Ｂ、Ｃの３種類をサポートする携帯電話機では、本体記憶部にシステムごとに周波数割り当てリスト（図３）を用意しておき、システムＡからＮＣＣが得られれば本体記憶部の上記リストを検索し、システムＢおよびシステムＣのセルサーチ対象周波数を削減することが可能である。
【００６７】
また、図示の装置では携帯電話機の本体記憶部（３００）に周波数割り当てリスト（図３）を用意するとしたが、本体記憶部以外にこのリストを設けてもよい。例えば、外部記憶部４００としてのＳＩＭカードに同様の内容を保存しておき、既述の動作手順（Ｓ４）ではそこから検索してもよい。
【００６８】
また、ネットワーク上のサーバに上述のリストを置き、圏内時に定期的に、或いは、ユーザの任意による操作に応じて周波数割り当てリスト（図３）を更新してもよい。このようにすることにより、各国の周波数割り当てが変更になった場合でも、サーバから取得したデータに基づいて周波数割り当てリスト（図３）を更新して改訂後の各国の周波数割り当てにも対応することが可能となる。
【００６９】
また上述の装置では、国番号（ＭＣＣ）のみを使用しているが、例えばシステムＡのその他の情報から、より詳細な位置（地域）がわかれば、その情報を使用してさらにサーチ対象となる周波数を削減してもよい。例えば、システムＡの情報から、Ｘ国のＺという地域にいることがわかった場合、Ｚ地域で使用されていない周波数があれば、それは検索の対象外とできる。
【００７０】
システムＡの情報によっては、システムＢのセルサーチを停止してもよい。システムＢのサービスが提供されていない国のＭＣＣを周波数割り当てリスト（図３）に記録しておき、システムＡから得られるＭＣＣによって、携帯電話機が該当する国にいることがわかった場合、システムＢのセルサーチを停止する。
【００７１】
携帯電話機の構成は図２のものに限定されない。例えば、制御部がシステムごとに分かれていなくても良いし、無線部がシステムごとに分かれていても良い。
【００７２】
以上、本発明による携帯電話機及びこの携帯電話機における通信方法の好適実施形態の構成および動作を詳述した。しかし、斯かる実施形態は、本発明の単なる例示に過ぎず、何ら本発明を限定するものではない。本発明の要旨を逸脱することなく、特定用途に応じて種々の変形変更が可能であること、当業者には容易に理解できよう。
【００７３】
【発明の効果】
セルサーチの高速化がされると共に、省電力が図られる携帯電話機およびこの携帯電話機における通信方法が提供される。
【図面の簡単な説明】
【図１】本発明の携帯電話機の通信制御動作のフローを説明するための図である。
【図２】本発明の携帯電話機の全体的概念を表すブロック図である。
【図３】携帯電話機の記憶部に記憶されている、ＭＣＣとその国で通信サービスを提供しているオペレータ名（ＩＤ）とオペレータに割り当てられている周波数帯との関係を表すテーブルの内容を示す概念図である。
【図４】携帯電話機の外部記憶部に記憶されている、携帯電話機へ通信サービスの提供が許されているオペレータを表すテーブルの内容を示す概念図である。
【図５】通信システムに割り当てられている全周波数の状況を表す図である。
【符号の説明】
１００　　　　　　　無線部
２００、２１０　　　制御部
３００　　　　　　　記憶部
４００　　　　　　　外部記憶部
【図１】
2004023391.tif 000003
【図２】
2004023391.tif 000004
【図３】
2004023391.tif 000005
【図４】
2004023391.tif 000006
【図５】
2004023391.tif 000007